(57)【要約】【課題】梱包の開梱や電源への接続を要することなく、インバータ装置に係る情報を設定したり確認することができる利便性に優れたインバータ装置、その周辺機器並びに梱包体を提供する。【解決手段】本実施形態のインバータ装置は、負荷を駆動するインバータ主回路を備えたものであり、電波を授受するアンテナと、前記アンテナと電気的に接続された記憶回路部とを具備する。記憶回路部は、情報を記憶する不揮発性の記憶手段であって、前記アンテナで受信した電波をエネルギー源として動作する。前記アンテナは、前記インバータ装置において前記記憶回路部が実装される基板の面と同一面上でない位置に設けられたアンテナ配置部に配置される。【選択図】図１
2012039712.tif 000002
【特許請求の範囲】
【請求項１】
負荷を駆動するインバータ主回路を備えたインバータ装置において、
電波を授受するアンテナと、
情報を記憶する不揮発性の記憶手段であって、前記アンテナと電気的に接続され、当該アンテナで受信した電波をエネルギー源として動作する記憶回路部と、
前記インバータ装置において前記記憶回路部が実装される基板の面と同一面上でない位置に設けられ、前記アンテナが配置されるアンテナ配置部とを備えたことを特徴とするインバータ装置。
【請求項２】
前記アンテナ配置部は、前記インバータ装置に対する着脱が可能に構成されていることを特徴とする請求項１記載のインバータ装置。
【請求項３】
電波を遮るシールド体を備えたことを特徴とする請求項１または２記載のインバータ装置。
【請求項４】
前記シールド体は、前記アンテナと前記インバータ主回路との間に配置されていることを特徴とする請求項３記載のインバータ装置。
【請求項５】
前記インバータ装置に対して前記シールド体を移動可能に配設すると共に、前記シールド体の外部からの移動操作が可能な移動操作手段を備えたことを特徴とする請求項３記載のインバータ装置。
【請求項６】
請求項１から５までの何れかに記載のインバータ装置を梱包するためのインバータ装置用梱包体において、
前記梱包体表面に、当該梱包体内における前記インバータ装置の前記アンテナの指向性または前記アンテナの位置を表示する表示部を有することを特徴とする梱包体。
【請求項７】
インバータ装置と通信手段を介して情報をやりとりする周辺機器において、
電波を授受するアンテナと、
情報を記憶する不揮発性の記憶手段であって、前記アンテナと電気的に接続され、当該アンテナで受信した電波をエネルギー源として動作する記憶回路部と、
前記周辺機器において前記記憶回路部が実装される基板の面と同一面上でない位置に設けられ、前記アンテナが配置されるアンテナ配置部とを備えたことを特徴とする周辺機器。
【請求項８】
前記アンテナ配置部は、前記周辺機器に対する着脱が可能に構成されていることを特徴とする請求項７記載の周辺機器。
【請求項９】
電波を遮るシールド体を備えたことを特徴とする請求項７または８記載の周辺機器。
【請求項１０】
前記インバータ装置に対して前記シールド体を移動可能に配設すると共に、前記シールド体の外部からの移動操作が可能な移動操作手段を備えたことを特徴とする請求項９記載の周辺機器。
【請求項１１】
請求項７から１０までの何れかに記載の周辺機器を梱包するための周辺機器用梱包体において、
前記梱包体表面に、当該梱包体内における前記周辺機器の前記アンテナの指向性または前記アンテナの位置を表示する表示部を有することを特徴とする梱包体。
【発明の詳細な説明】
【技術分野】
【０００１】
本実施形態は、インバータ装置、その周辺機器並びに梱包体に関する。
【背景技術】
【０００２】
従来より、インバータ装置は、例えば誘導電動機を可変速駆動するためのインバータ回路（主回路）や、そのインバータ回路を制御する制御部等を備えており、その加速時間や減速時間、上限周波数、下限周波数等の各種のパラメータ値を設定できるようになっている。
【０００３】
この点、インバータ装置の制御用電源は、当該インバータ装置内の電圧変更手段によって、商用電源から生成されるもので、例えば、商用電源電圧を整流した直流電圧でコンデンサを充電し、このコンデンサに充電された電圧をトランジスタにてオンオフ制御し、このオンオフ制御による電圧を電源トランスを介して降圧することで得られる（例えば、特許文献１参照）。こうして、制御用電源が各制御部に供給されることで、制御部は予め記憶された制御プログラムに従って動作し、メモリに記憶されたパラメータの読出しや書込み等が可能となる。
【０００４】
制御用電源は、上記のようにインバータ装置内にて商用電源から生成されるため、パラメータの設定等を行う場合には、インバータ回路を駆動させる必要がなくても、インバータ本体への商用電源の接続が必要になる。従って、インバータ装置に商用電源を接続できない場合、パラメータの設定等を行うには、外部から制御用電源を別途供給することが考えられる。
【先行技術文献】
【特許文献】
【０００５】
【特許文献１】特許第４３３５２０８号公報
【発明の概要】
【発明が解決しようとする課題】
【０００６】
しかしながら、インバータ装置に対して商用電源のみならず外部からの制御用電源も供給できない状況にあっては、インバータ制御に係るパラメータ等の情報の閲覧や設定を行うことはできない。また、インバータ装置が梱包されている場合には、当該梱包を開梱したうえで、前記の商用電源或は制御用電源への接続作業を行う必要がある。
【０００７】
そこで、梱包の開梱や電源への接続を要することなく、インバータ装置に係る情報を設定したり確認することができる利便性に優れたインバータ装置、その周辺機器並びに梱包体を提供する。
【課題を解決するための手段】
【０００８】
本実施形態のインバータ装置は、負荷を駆動するインバータ主回路を備えたものであり、電波を授受するアンテナと、前記アンテナと電気的に接続された記憶回路部とを具備する。記憶回路部は、情報を記憶する不揮発性の記憶手段であって、前記アンテナで受信した電波をエネルギー源として動作する。前記アンテナは、前記インバータ装置において前記記憶回路部が実装される基板の面と同一面上でない位置に設けられたアンテナ配置部に配置される。
【図面の簡単な説明】
【０００９】
【図１】第１実施形態を示すインバータ装置の内部構造を説明するための模式図
【図２】周辺機器の内部構造を説明するための模式図
【図３】インバータ制御システムの全体構成を示す図
【図４】インバータ装置を梱包した状態で示す梱包体の模式図
【図５】第２実施形態を示す図１相当図
【図６】第３実施形態を示す図１相当図
【図７】第４実施形態を示す図１相当図
【発明を実施するための形態】
【００１０】
＜第１実施形態＞
以下、本実施形態について図１から図４を参照して説明する。図３に示すように、インバータ装置１は、例えば、交流電源装置２から電源が与えられ、その電源（商用電源）に基づいて誘導電動機３を駆動するようになっている。パラメータライタ４はインバータ装置１の周辺機器であって、その通信部５ｂは、インバータ装置１の通信部５ａにシリアル通信ライン５を介して接続されている。詳しくは後述するように、パラメータライタ４は、これら通信手段たるシリアル通信ライン５及び通信部５ａ，５ｂを介して通信を行うことで、インバータ装置１に係る情報の読込みや書込み等を行うようになっている。
【００１１】
図１に模式的に示すように、インバータ装置１は、例えばＭＯＳＦＥＴやＩＧＢＴ等のスイッチング素子を３相ブリッジ接続して構成されるインバータ回路１０と、インバータ回路１０を制御する制御部１１と、不揮発性の記憶手段としての記憶回路部１２、アンテナ１８等を備えている。これらの回路やアンテナ１８は、インバータ装置１の筐体１３に収容された複数の基板（例えば３つのプリント配線板１４ａ，１４ｂ，１４ｃ。以下、単に基板と称す）に配設されている。
【００１２】
詳細には、図１中、筐体１３内の下部側（最も奥側）に配置された基板１４ｃには、インバータ回路１０を構成する電子部品や、前記ＩＧＢＴ等のスイッチング素子が実装されている。インバータ回路１０は、誘導電動機３等の負荷を駆動するインバータ主回路である。このインバータ回路１０は、基板１４ｂ，１４ｃ間に設けられた制御線１６により制御部１１に電気的に接続されている。
【００１３】
基板１４ｃとは別体の基板として中間部に配された基板１４ｂには、制御部１１、記憶回路部１２、前記通信部５ａ（図１では図示を省略）が設けられる他、ユーザインターフェイスのための電子部品等が配設されている。制御部１１は、マイクロコンピュータで構成されており、ＣＰＵ，フラッシュメモリ，ＲＡＭなど（何れも図示せず）を備えている。制御部１１のフラッシュメモリには、ＣＰＵによって実行され、インバータ回路１０を制御するための制御プログラム等が記憶されている。前記ＲＡＭは、ＣＰＵが処理を実行する場合のワークエリアとして使用される。
【００１４】
制御部１１は、前記通信部５ａを介して、通信プロトコルによりパラメータライタ４側と通信を行うようになっている。また、このインバータ装置１では、例えば、制御部１１等に対して、図示しない電圧変更手段により５Ｖに降圧した制御電源が供給されるようになっている。この電圧変更手段により供給される制御電源は、インバータ装置１において前記商用電源に基づき生成されるものである。
【００１５】
基板１４ｂにおいて、記憶回路部１２は制御部１１に対して配線１７（回路パターン）により接続されている。記憶回路部１２は、例えば不揮発性の記憶手段としてのＥＥＰＲＯＭ（Electrically Erasable Programmable ROM）１２ａ、図示しない制御回路、無線通信部等を備え、前記アンテナ１８で受けた電波をエネルギー源として動作するように構成されている。即ち、記憶回路部１２では、図示しない外部処理装置（リーダ／ライタ装置）から送信された電波をアンテナ１８で受信することで、前記制御電源によらずに、当該電波から電力と各種情報を得るようになっている。前記無線通信部は、アンテナ１８で受信した電波に含まれるデータ信号が配線１８ａを介して伝達されると、そのデータ信号を元のデータに復調する処理を行う。記憶回路部１２の制御回路は、そのデータ（外部処理装置からの指示データ）の内容に従って、ＥＥＰＲＯＭ１２ａの記憶内容の書換え或は書込み等を行う。また、前記制御回路は、外部処理装置からの指示データに基づいて、ＥＥＰＲＯＭ１２ａに保存しているデータを送信するための制御を前記無線通信部に対して行い、ＥＥＰＲＯＭ１２ａから取出されたデータは、前記無線通信部において所定の周波数帯に変調され、配線１８ａを介してアンテナ１８から外部処理装置側に送信される。
【００１６】
このＥＥＰＲＯＭ１２ａには、例えば、製造業者により設定される製造業者設定情報、ユーザにより設定されるユーザ設定情報、製造履歴、運転履歴等の各種のパラメータが記憶される。つまり、ＥＥＰＲＯＭ１２ａに記憶される情報としては、例えば、誘導電動機３の可変速駆動に係る加速時間や減速時間、上限周波数、下限周波数等の制御パラメータデータ、インバータ装置１のシリーズ形式、前記制御プログラムのバージョン情報等が含まれる。
【００１７】
そして、図１中、筐体１３内の上部側（最も手前側）に配置された基板１４ａ上には、アンテナ１８が設けられている。アンテナ１８は、電波を送受信するコイル状（ループ状）をなすもので、配線１８ａを介して記憶回路部１２の無線通信部に接続されている。図示は省略するが、インバータ装置１における筐体１３の前面部１３ａには、スイッチ部と表示部とを有する操作・表示部が設けられており、基板１４ａは、その前面部１３ａ寄りの位置に配置される。これにより、基板１４ａ（厳密には基板１４ａ上の一部）は、筐体１３内においてアンテナ１８が配置され、記憶回路部１２が実装される基板１４ｂの面Ｓと同一面上でない位置に存するアンテナ配置部１４ａｐを構成する。
【００１８】
一方、図２に示すように、前記パラメータライタ４は、インバータ回路１０及び基板１４ｃが無い点でインバータ装置１と相違するが、その余の構成はインバータ装置１と共通する。以下、インバータ装置１に対する周辺機器としてのパラメータライタ４について簡単に説明する。
【００１９】
パラメータライタ４は、制御部２１、不揮発性の記憶手段としての記憶回路部２２、アンテナ２８等を備えている。このパラメータライタ４において、制御部２１は、通信部５ｂを介してインバータ装置１からの各種情報（データ）の読込みと書込みとを行う。係る情報は、当該制御部２１が有するフラッシュメモリ等の記憶手段に記憶されるようになっており、パラメータライタ４は、インバータ装置１に対するデータ複写ユニットとして構成されている。
【００２０】
パラメータライタ４の筐体２３には、その前面部２３ａに操作・表示部が設けられており、内部には複数の基板（例えば２つの基板２４ａ，２４ｂ）が収容されている。筐体２３内の奥側の基板２４ｂには、制御部２１や記憶回路部２２、前記通信部５ｂ等が設けられている。制御部２１は、マイクロコンピュータで構成されており、ＣＰＵ，フラッシュメモリ，ＲＡＭ等（何れも図示せず）を備えている。制御部２１のフラッシュメモリには、前記ＣＰＵによって実行され、前面部２３ａの操作・表示部における操作入力や表示制御を行うための制御プログラム等が記憶されている。このパラメータライタ４では、例えばインバータ装置１側と同様に前記商用電源から電圧変更手段を介して５Ｖに降圧した制御電源が制御部２１等に供給される。
【００２１】
基板２４ｂにおいて、記憶回路部２２は制御部２１に対して配線２７（回路パターン）により接続されている。記憶回路部２２は、例えば記憶回路部１２と同様に、不揮発性の記憶手段としてのＥＥＰＲＯＭ２２ａ、図示しない制御回路、無線通信部等を備え、アンテナ２８で受けた電波をエネルギー源として動作することで、前記制御電源によらずに、当該電波から電力と各種情報を得るようになっている。
【００２２】
パラメータライタ４における筐体２３内の手前側に配置された基板２４ａ（の一部）は、ループ状のアンテナ２８が設けられるアンテナ配置部２４ａｐとされている。アンテナ２８は、配線２８ａを介して記憶回路部２２の無線通信部に接続されている。
【００２３】
ここで、図４は、上記インバータ装置１を梱包した状態の一例を模式的に示している。梱包体３０は、例えば、段ボール等の板状をなす紙製のもので、同図に示すように矩形箱状をなす梱包箱である。この梱包体３０には、インバータ装置１が所定の向き、例えばアンテナ１８側が手前側（図４中、上方）となるように収容されるようになっている。この場合、梱包体３０の上面側には、アンテナ１８寄りの位置に表示部３０ａが印刷されている。表示部３０ａは、例えば、梱包体３０内のアンテナ１８に沿ったループ状を描いており、アンテナ１８の位置と指向性（方向や形）を外部から認識できるようになっている。
【００２４】
尚、図示は省略するが、パラメータライタ４も梱包体３０と同様の梱包体により梱包されるようになっている。即ち、パラメータライタ４の梱包体は矩形箱状をなして、当該パラメータライタ４を、例えばアンテナ２８側が上方となるように収容する。また、パラメータライタ４の梱包体にも、当該梱包体内のアンテナ２８に沿った表示部が印刷され、アンテナ２８の位置と指向性を外部から認識できるようになっている。
【００２５】
次に、本実施例の作用について説明する。
インバータ装置１及びパラメータライタ４は、何れも電源が投入されて起動する。この起動によって、インバータ装置１は誘導電動機３を駆動し、或は、インバータ装置１とパラメータライタ４との間でシリアル通信ライン５等を介して情報のやりとりが行われる。
【００２６】
この点、例えば出荷前にインバータ装置１やパラメータライタ４が梱包された状態、或は商用電源への接続ができない状態では、インバータ装置１における誘導電動機３の駆動や、インバータ装置１とパラメータライタ４との間での情報のやりとりを行うことはできない。
【００２７】
もっとも、本実施形態のインバータ装置１及びパラメータライタ４にあっては、前記の記憶回路部１２及び２２、並びにアンテナ１８及び２８を備えて構成されていることから、電源の投入が無くてもパラメータの設定等を行うことができる。従って例えば、倉庫内において、インバータ装置１が梱包体３０により梱包されている状態で、例えば上限周波数の書換えを行うべく、前記外部処理装置を用いてそのパラメータデータを電波で送信することができる。この場合、梱包体３０における表示部３０ａを指標として、アンテナ１８の位置と指向性を把握することができ、外部処理装置からアンテナ１８に対して電波を確実に送ることができる。
【００２８】
これにより、インバータ装置１側では、アンテナ１８で受けた電波から電力を得て記憶回路部１２が起動し、当該電波に含まれる指示に基づき、ＥＥＰＲＯＭ１２ａに記憶されている上限周波数を上書きして更新する。また、記憶回路部１２は、アンテナ１８で受けた電波に含まれる指示に基づき、ＥＥＰＲＯＭ１２ａに記憶されているパラメータ等の各種情報をアンテナ１８から外部処理装置側に送信することができる。
【００２９】
パラメータライタ４においても、前記梱包体に梱包されている状態で、商用電源に接続することなく、前記外部処理装置を用いて情報のやりとりを行うことができる。簡単に説明すると、前記外部処理装置から制御パラメータの書換えを行うべく、そのパラメータデータを無線で送信する。この場合、インバータ装置１と同様、前記梱包体における表示部により、アンテナ２８の位置と指向性を把握することができ、外部処理装置からアンテナ２８に対して電波を確実に送ることができる。また、パラメータライタ４側では、アンテナ２８で受けた電波から電力を得て記憶回路部２２が起動し、当該電波に含まれる指示に基づき、ＥＥＰＲＯＭ２２ａに記憶されているパラメータ等の各種情報を上書きして更新し、或はＥＥＰＲＯＭ１２ａに記憶されている情報をアンテナ１８から外部処理装置側に送信することができる。
【００３０】
以上説明したインバータ装置１は、電波を授受するアンテナ１８と、情報を記憶する不揮発性の記憶手段であって当該アンテナ１８で受信した電波をエネルギー源として動作する記憶回路部１２とを備える。従って、外部処理装置からアンテナ１８に対し電波を送ることで記憶回路部１２が起動するため、梱包体３０を開梱することなく且つ商用電源に接続することなく、インバータ制御に係る情報等を設定し或は閲覧することができる。つまり、インバータ制御に係る情報の設定或は閲覧を、場所を問わず、又、梱包の有無に係わらず、極めて簡単に行うことができる。
【００３１】
また、インバータ装置１において記憶回路部１２が実装される基板１４ｂの面Ｓと同一面上でない位置に、アンテナ１８が配置されるアンテナ配置部１４ａｐを設けた。これによれば、記憶回路部１２が実装される基板１４ｂの大型化を招くことなく、筐体１３内の剰余空間を利用してアンテナ１８を配置することができ、インバータ装置１の大型化を抑制することができる。
【００３２】
前記インバータ装置１と通信手段５，５ａ，５ｂを介して情報をやりとりする周辺機器たるパラメータライタ４においても、アンテナ２８と記憶回路部２２と、アンテナ配置部２４ａｐとを備えることから、上記したインバータ装置１と同様の効果を奏する。
【００３３】
前記梱包体３０は、その表面（ひょうめん）に、当該梱包体３０内におけるインバータ装置１のアンテナ１８の指向性と位置を表示する表示部３０ａを有する。従って、外部処理装置を用いて前記情報の設定や閲覧を行う場合、その表示部３０ａを指標として外部処理装置を適切な操作位置で使用することができ、データの授受を確実に行うことができる。また、パラメータライタ４の梱包体も表示部を有することから、梱包体３０と同様の効果を奏する。
【００３４】
＜第２実施形態＞
図５は、第２実施形態を示すものであり、既述の部分と同一部分には同一符号を付す等して説明を省略し、以下異なる点につき説明する。
【００３５】
インバータ装置１における筐体１３の前面部１３ａには、図５に示すような操作・表示部３３が設けられている。詳しい図示は省略するが、操作・表示部３３は、例えばそのスイッチ群を構成するスイッチ手段としてメンブレンスイッチを備えている。即ち、当該メンブレンスイッチは、対向するシート３４ａ，３４ｂ（乃至フィルム）に、押圧操作により導通する接点部（図示せず）を有して構成され、当該メンブレンスイッチから導出される引出し線３４ｃは、前記基板１４ｂ側に接続されている。本実施形態のアンテナ１８は、例えば前記メンブレンスイッチの裏面側のシート３４ｂに配置され、引出し線３４ｃを利用して（引出し線３４ｃを介して）記憶回路部１２に接続されている。このように、操作・表示部３３の裏面側においてメンブレンスイッチの一部を利用してアンテナ配置部３３ｐを構成することで、アンテナ１８用の基板等を省略することができる。
【００３６】
図示は省略するが、パラメータライタ４における筐体２３の前面部２３ａにも、操作・表示部３３と同様に、操作・表示部とメンブレンスイッチとを備える。そして、パラメータライタ４のアンテナ２８は、例えば前記メンブレンスイッチのシートに配置され、その引出し線を利用して記憶回路部２２に接続される。
従って、本第２実施形態のインバータ装置１及びパラメータライタ４によれば、よりコンパクトで簡単な構成にすることができると共に、第１実施形態と同様の効果を得ることができる。
【００３７】
＜第３実施形態＞
図６は、第３実施形態を示すものであり、既述の部分と同一部分には同一符号を付す等して説明を省略し、異なる点につき説明する。
【００３８】
インバータ装置１の筐体１３内には、図６に示すように、基板１４ｂと基板１４ｃとの間に位置してシールド体３５が配置されている。シールド体３５としては、金属板や金属箔を用いることができる他、金属網製のものを採用することができる。この場合、シールド体３５は、本第３実施形態のアンテナ１８´とインバータ回路１０との間に位置し、インバータ回路１０のスイッチング動作に起因するノイズやサージを低減すべく、少なくともアンテナ１８´側への電波を遮る寸法形状（基板１４ｂ全体を覆う寸法形状）に形成されている。このシールド体３５の遮蔽作用により、インバータ回路１０のスイッチング動作に基づきアンテナ１８で受けた電波からサージ電力が発生することを防止することができ、記憶回路部２２の誤作動や破損をも防止することができる。第１実施形態で説明した図１のインバータ装置１や他の実施形態のインバータ装置１にも、シールド体３５を適用することができ、その配置位置は、基板１４ａと基板１４ｂとの間でもよい。
【００３９】
また、図６に示すように、本第３実施形態の基板１４ａには第１コネクタ３７ａが実装されると共に、基板１４ｂには第２コネクタ３７ｂが実装されている。この一対のコネクタ３７ａ，３７ｂは、基板１４ａを基板１４ｂに電気的に接続するための基板対基板コネクタ３７に相当する。これにより、手前側に位置する基板１４ａは、第１コネクタ３７ａにて第２コネクタ３７ｂ（基板１４ｂ）に対し着脱可能に装着され、その装着によって両基板１４ａ，１４ｂは所謂２枚重ねの状態となる。
【００４０】
アンテナ１８´は、基板１４ａ上の補助ループ部３８ａと、基板対基板コネクタ３７における電気的接続部分（図６中、符号３８ｂ，３８ｂで模式的に示す当該コネクタ３７のピンを含む部分）と、基板１４ｂの配線３８ｃ，３８ｃ（回路パターン）とからループ状をなすように構成されている。即ち、基板対基板コネクタ３７及び基板１４ｂの回路パターンを利用して、基板１４ａにおける実際上のアンテナ配置部１４ａｐ´（補助ループ部３８ａ）の大きさを極力小さく抑えている。この構成によれば、基板対基板コネクタ３７にて補助ループ部３８ａを基板１４ａごと簡単に取外すことができる。従って、前記外部処理装置を用いた情報のやりとりを行わない場合或は誘導電動機３の駆動制御を行う場合に、基板１４ａを取外しておくことで前述したスイッチング動作に基づく記憶回路部２２の誤作動や破損を確実に防止することができると共に、外部の電波による記憶回路部２２の誤作動等を確実に無くすことができる。また、基板１４ａを取外していない場合でも、シールド体３５によって、記憶回路部２２の誤作動や破損を防止することができる。
【００４１】
尚、図示は省略するが、パラメータライタ４のアンテナについても、アンテナ１８´と同様に基板２４ａ上に補助ループを設け、基板２４ａと基板２４ｂを電気的に接続する基板対基板コネクタ３７と基板２４ｂの回路パターンとを利用して構成することができる。これによれば、アンテナ配置部としての基板２４ａを、パラメータライタ４（基板２４ｂ）に対して着脱することができ、インバータ装置１と同様の効果を得ることができる。
【００４２】
＜第４実施形態＞
図７は、第４実施形態を示すものであり、既述の部分と同一部分には同一符号を付す等して説明を省略し、異なる点につき説明する。
【００４３】
インバータ装置１の筐体１３内には、基板１４ａの手前側に位置してアンテナ１８を覆うシールド体３９が移動可能に設けられている。シールド体３９は、シールド体３５と同じ材料から構成されており、その移動操作に供される操作ツマミ（シールド操作部３９ａ）を有する。一方、筐体１３の前面部１３ａには、シールド操作部３９ａを露出させる長孔４０が形成されている。こうして、シールド体３９は、シールド操作部３９ａにて図７の矢印方向に長孔４０に沿って移動操作されることで、アンテナ１８が外部の電波を受けるための使用位置と、外部と通信を行わないようにするための不使用位置との間で移動する。上記シールド操作部３９ａ及び長孔４０等は移動操作手段４１に相当する。上記構成によれば、シールド操作部３９ａを摘んでシールド体３９を使用位置に移動させることで、アンテナ１８における電波の授受が可能で、前記外部処理装置と記憶回路部１２との間で情報のやりとりを行うことができる。また、不使用位置では、外部の電波をアンテナ１８で受けないようにシールド体３９で遮ることができ、記憶回路部１２の誤作動等を防止することができる。更に、上記構成によれば、移動操作手段４１をシールド操作部３９ａと長孔４０との簡単な構成で、アンテナ１８における電波の授受の可否を決定することができる。
【００４４】
尚、図示は省略するが、パラメータライタ４についても、インバータ装置１と同様に、筐体２３内にシールド体３９設けると共に筐体２３に長孔４０を設けた構成とすることで、上記と同様の効果を得ることができる。
【００４５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００４６】
例えば、記憶回路部１２，２２は、ＥＥＰＲＯＭを備えたものに限定されるものではなく、フラッシュメモリ等、各種の不揮発性の記憶手段を用いることができる。また、周辺機器は、パラメータライタ４に限ることはなく、移動操作手段４１の構成も適宜変更することができる。
【００４７】
インバータ装置１の駆動対象は誘導電動機３に限らず、ブラシレス直流電動機やＩＰＭ（Interior Permanent Magnet）電動機等の永久磁石型電動機であっても良い。また、配線１６，１７，１８ａ，２７，２８ａ等は、信号伝達手段或は電気的接続手段として構成されていればよく、例えば、アンテナ１８用の配線１８ａの一部を構成するものとして第１実施形態の基板１４ａ，１４ｂ間に基板対基板コネクタ３７を設けるようにしてもよい。
【００４８】
基板としては、プリント配線板に代えて、フレキシブル配線基板等、各種の基板を用いてもよい。例えば、プリント配線板１４ａ，１４ｂを１つのフレキシブル配線基板で構成した場合、当該フレキシブル配線基板を、筐体１３内にて例えば横向き「Ｕ」字状の如く変形させた状態で配置することができる。従って、当該フレキシブル配線基板に記憶回路部１２とアンテナ配置部を設けても、これら記憶回路部１２及びアンテナ配置部を、筐体１３内にて互いに同一面に位置しないように配設することができる。このように、インバータ装置１とパラメータライタ４との双方において、複数の基板のうちの１つを省略して、他の基板に、省略した基板の電子部品等をまとめて配置してもよい。
【符号の説明】
【００４９】
図面中、１はインバータ装置、４は周辺機器、５，５ａ，５ｂは通信手段、１０はインバータ主回路、１２，２２は記憶回路部、１４ａｐ，１４ａｐ´，２４ａｐ，３３ｐはアンテナ配置部、１８，１８´，２８はアンテナ、３０は梱包体、３０ａ表示部、３５，３９はシールド体、４１は移動操作手段を示す。
【図１】
2012039712.tif 000003
【図２】
2012039712.tif 000004
【図３】
2012039712.tif 000005
【図４】
2012039712.tif 000006
【図５】
2012039712.tif 000007
【図６】
2012039712.tif 000008
【図７】
2012039712.tif 000009